(57)【特許請求の範囲】
【請求項１】
透明基板の側面に沿って、点状光源と導光体とからなる光源部を配置し、該導光体の一部に光路変換手段を形成した面状照明装置において、
前記光源部は隣接して複数個配置され、
前記光路変換手段は、多数の線状または帯状の光散乱部により構成され、
前記光源部が配置されている前記透明基板の一側面方向から見て、隣り合う導光体のそれぞれに形成された光散乱部が交差するように設けられていることを特徴とする面状照明装置。
【請求項２】
光路変換手段は、微小な凹凸面からなる線状または帯状の光散乱部と該光散乱部に隣接する平坦面とにより構成されていることを特徴とする請求項１に記載の面状照明装置。
【請求項３】
光路変換手段は、白色または乳白色の塗料が線状または帯状に部分的に塗布された光散乱部により構成されていることを特徴とする請求項１に記載の面状照明装置。
【請求項４】
光路変換手段は、線状または帯状の溝からなる光散乱部と該光散乱部に隣接する平坦部とが連続的に形成されることにより構成されていることを特徴とする請求項１に記載の面状照明装置。
【請求項５】
光路変換手段は、断面形状ほぼ三角形の線状または帯状の傾斜面が連続的に形成された光散乱部により構成されていることを特徴とする請求項１に記載の面状照明装置。
【請求項６】
光路変換手段は、前記導光体の、前記透明基板の側面に向い合う面と対向する面に形成されていることを特徴とする請求項１乃至請求項５のいずれかに記載の面状照明装置。
【発明の詳細な説明】
【０００１】
【発明の属する技術分野】
本発明は、各種反射型表示装置等の前面照明手段に用いられる面状照明装置に関するものであり、特に、反射型の液晶表示装置の照明手段として用いられるものである。
【０００２】
【従来の技術】
白色の発光ダイオード等からなる点状光源と、光を効率よく反射させるために一部に光路変換手段を形成した導光体とから構成される光源部を複数使用し、照明効率を向上させるものとして、本出願人により特許出願されている（特願平１１−０４６４９５号参照）。
【０００３】
図１３に、その一実施例の構成を示し、本発明に係る面状照明装置の従来例の一形態として以下に説明する。
図に示すように、面状照明装置１’は、反射型液晶素子２の表面（観察面）３を覆うように配置される透明基板４と、その一側面５に沿って配置される光源部６ａ，６ｂとから概略構成されている。透明基板４は、透光性の高い材料からなり、その断面がほぼ矩形状に形成される平板状のものである。光源部６ａ、６ｂは、透明材料からなる棒状の導光体７ａ、７ｂと、その導光体７ａ、７ｂの端部に配置される点状光源８ａ、８ｂとから構成され、光源部６ａ、６ｂから透明基板４への入射光量を増加させ、観察面３の輝度を向上させるために、２つの光源部６ａ、６ｂが一側面５に沿って平行に並べて配置されている。この平行に配置される２つの光源部６ａ、６ｂのうち、透明基板４に近い内側に位置する光源部６ａから出射した光は、導光体７ａ内で反射、屈折を繰り返し透明基板４の一側面５へ入射する。また、透明基板４から離れた外側に位置する光源部６ｂから出射した光は、導光体７ｂ内で反射、屈折を繰り返した後、内側に位置する光源部６ａの導光体７ａへ入射し、導光体７ａ内を通過し、透明基板４の一側面５へ入射する。
【０００４】
点状光源８ａ、８ｂから導光体７ａ、７ｂ内にそれぞれ入射した光は、それらの一面１０ａ、１０ｂに形成された光路変換手段１１ａ、１１ｂによって透明基板４の一側面５に均一に放出される。光路変換手段１１ａ、１１ｂは、透明基板４の一側面５に向き合う側の面９ａ、９ｂと対向している面１０ａ、１０ｂに形成され、透明基板４の一側面５側から２つの導光体７ａ、７ｂを重ねて見たときに、互い違いの位置関係となるようにずらして配置されている。これにより光路変換手段１１ｂで反射した光は、光路変換手段１１ａにより再度反射され、好ましくない方向に進行してしまうという影響を受けることなく、効率よく透明基板４に入射する。
【０００５】
また、透明基板４の観察側の面１３（以下、上面という。）には、光反射パターン１５が形成されている。光反射パターン１５は、一側面５に沿って形成される、断面形状がほぼ三角形の多数の溝部１６と、溝部１６に隣接する平坦部１７とから構成されている。そして、光源部６ａ、６ｂからの距離に影響されることなく、透明基板４の何れの場所においても画面の明るさが均一になるように、平坦部１７の幅に対する溝部１６の幅の比率を、透明基板４の一側面５から遠ざかるにしたがって大きくなるように形成している。
【０００６】
ここで、導光体７ａ、７ｂに形成される光路変換手段１１ａ、１１ｂの形態を図１４から図１７に示す。
図１４に示す光路変換手段１１ａ、１１ｂは、導光体７ａ、７ｂの面上に部分的に粗面化加工を施して微小な凹凸を設けた光散乱部２０と、粗面化加工を施さない平面部２１とから構成されている。そして、導光体７ａの光散乱部２０と導光体７ｂの光散乱部２０とは、透明基板４の一側面５側から見たときに、前後に重ならないようにずれた位置に形成されている。これにより、導光体７ｂの光散乱部２０で反射した光（中心光）２５は、導光体７ａ（透明基板４）方向に進行するが、導光体７ａに形成されている光散乱部２０によって反射されることなく透明基板４内に入射するようになる。
【０００７】
図１５に示す光路変換手段１１ａ、１１ｂは、導光体７ａ、７ｂの面上に白色の塗料（図１５の斜線部分）を塗布して光散乱部２０’を形成したものである。この白色塗料は、高い反射率で光を反射するが、透過しないため光の遮断部として機能してしまうこともある。即ち、透明基板４の一側面５に沿って配置される導光体７ａ、７ｂのうち、導光体７ａ上の光路変換手段１１ａの光散乱部２０’が、導光体７ｂに形成された光路変換手段１１ｂの光散乱部２０’で反射した光２５の光路上に設けられている場合には、光を遮断して透明基板４に向かう光の量を減少させてしまうことになる。そこで、２つの導光体７ａ、７ｂ上の光散乱部２０’の位置をそれぞれずらして形成することにより、反射した光２５は、遮断されることなく透明基板４内に入射するようになる。
【０００８】
図１６に示す光路変換手段１１ａ、１１ｂは、断面形状ほぼ三角形の溝部２０”と、該溝部２０”に隣接する平坦部２１とで形成されるものである。導光体７ｂに形成された溝部２０”によって反射された光２５は、導光体７ａ内を進行し、更に、透明基板４内に進行する。このとき、反射された光２５の光路上に導光体７ａの溝部２０”が形成されていると、光２５は導光体７ａの溝部２０”で屈折されて、透明基板４の一側面５に対して好ましくない方向に入射する。そこで、２つの導光体７ａ、７ｂの溝部２０”をそれぞれずらした位置に形成することにより、反射した光２５は、導光体７ａの溝部２０”で屈折されることなく、透明基板４の一側面５に対してほぼ垂直に入射するようになる。
【０００９】
図１７に示す光路変換手段１１ａ、１１ｂは、平坦部を設けずに、断面形状ほぼ三角形となる２つの傾斜面からなる山部２２を連続的に形成するものである。この場合にも、導光体７ｂの山部２２で反射した光２５が、導光体７ａの山部２２によって屈折しないように、２つの導光体７ａ、７ｂの山部２２の位置をずらして形成している。
【００１０】
図１８は、透明基板４の一側面５に沿って平行に並べて配置された２つの導光体７ａ、７ｂを透明基板４の一側面５側から見たとき、導光体７ａ、７ｂ上に形成されている光路変換手段１１ａ、１１ｂの位置関係を示している。２つの導光体７ａ、７ｂは、前後にほぼぴったりと重なるように組み立てられ、導光体７ａに形成された光散乱部２０ａ（２０、２０’２０”等）と、導光体７ｂに形成された光散乱部２０ｂ（２０、２０’２０”等）とが、互い違いにずれた状態になるように設けられている。また、それぞれの光散乱部２０ａ、２０ｂ（線状または帯状）は、導光体７ａ、７ｂの底面２９に対して垂直に設けられている。
【００１１】
【発明が解決しようとする課題】
ところが、導光体７ａ、７ｂ上に形成される光路変換手段１１ａ、１１ｂの隣り合う間隔は狭い（２５０ｕｍ、５００ｕｍ等）ものであり、面状照明装置の製造工程において、一方の導光体に形成された光路変換手段１１ａの光散乱部２０ａ（２０、２０’、２０”等）の間に他方の光路変換手段１１ｂの光散乱部２０ｂ（２０、２０’、２０”等）が正確に位置するように意図的にずらして組み立てることは、位置関係の精密な管理を必要とするものであった。
【００１２】
また、組立の際にその位置関係が正確でない場合には、導光体７ａ、７ｂの光散乱部２０ａと２０ｂとは、透明基板４側から見たときに前後で重なる部分３０が生じてしまい（図１９参照）、正確な位置関係に組み立てられた場合に比べて画面輝度が低下してしまうという欠点があった。その輝度の低下は、最大低下時には約１／２にまで達するものであった。
【００１３】
本発明は、上記課題に着目してなされたものであり、複数の導光体にそれぞれ形成される光路変換手段（光散乱部）の形状（線状または帯状）を考慮することにより、導光体の長さのばらつき、あるいは、製造組み立て上のばらつきから生じる画面輝度の低下の防止を実現する面状照明装置を提供する。
【００１４】
【課題を解決するための手段】
上記課題を解決するための手段として、請求項１記載の発明では、透明基板の側面に沿って、点状光源と導光体とからなる光源部を配置し、該導光体の一部に光路変換手段を形成した面状照明装置において、前記光源部は隣接して複数個配置され、前記光路変換手段は、多数の線状または帯状の光散乱部により構成され、前記光源部が配置されている前記透明基板の一側面方向から見て、隣り合う導光体のそれぞれに形成された光散乱部が交差するように設けられていることを特徴とするものである。
【００１５】
請求項２記載の発明では、光路変換手段は、微小な凹凸面からなる線状または帯状の光散乱部と該光散乱部に隣接する平坦面とにより構成されていることを特徴とするものである。
【００１６】
請求項３記載の発明では、光路変換手段は、白色または乳白色の塗料が線状または帯状に部分的に塗布された光散乱部により構成されていることを特徴とするものである。
【００１７】
請求項４記載の発明では、光路変換手段は、線状または帯状の溝からなる光散乱部と該光散乱部に隣接する平坦部とが連続的に形成されることにより構成されていることを特徴とするものである。
【００１８】
請求項５記載の発明では、光路変換手段は、断面形状ほぼ三角形の線状または帯状の傾斜面が連続的に形成された光散乱部により構成されていることを特徴とするものである。また、請求項６記載の発明では、光路変換手段は、前記導光体の、前記透明基板の側面に向い合う面と対向する面に形成されていることを特徴とするものである。
【００１９】
【発明の実施の形態】
以下、本発明に係る面状照明装置の実施の形態を添付図面に基づいて説明する。なお、図１に示すものは、従来例として図１３に基づいて説明した面状照明装置１’の導光体７ａ、７ｂに形成される光路変換手段１１ａ、１１ｂの配置を改良したものであり、光路変換手段１１ａ、１１ｂ以外の構成は従来のものと同様である。よって、以下の説明では、同様の部材については同一符号を用いて説明することとし、その詳細な説明は省略する。
【００２０】
図に示すように、透明基板４の一側面５に沿って、２つの導光体７ａ、７ｂが平行に並んで配置されている。そして、導光体７ａ、７ｂには、それらの端部に配置された点状光源（図示省略）からの光を透明基板４に対して均一に放射するために、光路変換手段１１ａ、１１ｂがそれぞれ形成されている。この光路変換手段１１ａ、１１ｂは、透明基板４の一側面５に向き合う側の導光体７ａ、７ｂの一面９ａ、９ｂと、対向する一面１０ａ、１０ｂに形成されている。また、光路変換手段１１ａ、１１ｂは、光散乱部（線状または帯状。以下において同様。）２０ａ、２０ｂと該光散乱部に隣接する平坦部２１、２１とから構成され、光散乱部２０ａと２０ｂは、それぞれ同じ間隔で、互いに逆方向に傾斜させて形成されている。
【００２１】
図２は、上記導光体７ａ、７ｂに形成された光散乱部２０ａ、２０ｂを、透明基板４の一側面５側から重ねて見たときの図である。２つの導光体７ａ、７ｂに形成された光散乱部２０ａと２０ｂとは、それぞれ交差するように配置されている。それぞれの光散乱部２０ａ、２０ｂは、導光体７ａ、７ｂの端部から同じ間隔で形成されているため、２つの導光体７ａと７ｂとをぴったり重ね合わせたときには、光散乱部２０ａと２０ｂの交差部３０は、それぞれの中央部で交差する。
【００２２】
図３は、２つの導光体７ａと７ｂの重なる位置がずれて組み立てられたときの光散乱部２０ａ、２０ｂの交差状態を示す。光散乱部２０ａと２０ｂとの交差部３０の位置は、上記ぴったり重ね合わせたときに交差する位置と比べてずれた所（図３では上方にずれている）で交差している。しかし、導光体の位置がずれた場合でも、光散乱部２０ａ、２０ｂを互いに逆方向に傾けて形成しているので、交差部３０の面積の大きさは変化していない。即ち、透明基板４の一側面５から見える光散乱部２０ａと２０ｂの面積は、導光体７ａと７ｂの位置がずれた場合にも一定に保つことができる。但し、導光体７ａと７ｂとは交差しているため、光散乱部２０ａ、２０ｂの面積は、交差部３０の面積分減少している。
【００２３】
ここで、２つの導光体７ａ、７ｂに形成する光散乱部２０ａ、２０ｂについて詳しく説明する。
図４に示すように、導光体７ａ（７ｂ）上に形成される光路変換手段１１ａ（１１ｂ）の光散乱部２０ａ（２０ｂ）と平坦部２１を加えた長さをピッチＰとし、光散乱部２０ａ（２０ｂ）の幅をＷとする。また、導光体７ａ（７ｂ）の厚さをｔとし、光散乱部２０ａ（２０ｂ）の傾斜角度を傾きθ、傾斜量をずれ量Ｌとする。以下の説明で使用する２つの導光体は、光散乱部２０ａと２０ｂの傾斜方向のみが逆であり、その他は同一に形成されているものとする。
【００２４】
２つの導光体７ａ、７ｂの位置のずれにかかわらず、光散乱部２０ａと２０ｂの交差する面積が一定となるためには以下に示す（１）（２）の条件を満たすことが必要である。
Ｌ＝０．５×Ｐ×（２ｎ＋１）  （ｎ＝０，１，２・・・）  ・・・（１）
θ＝ａｔａｎ（Ｌ／ｔ）                                  ・・・（２）
【００２５】
図５は、上記条件において、ｎ＝０の時の光散乱部２０ａ、２０ｂの交差状態を示す。
この時、上記の式（１）は、Ｌ＝０．５Ｐとなる。即ち、導光体７ａ、７ｂ上に傾斜させて形成する光散乱部２０ａ、２０ｂのずれ量ＬをピッチＰの１／２倍とすることにより、導光体７ａと７ｂの位置のずれにもかかわらず、光散乱部２０ａと２０ｂとの交差部３０の面積は一定となる。これにより、光散乱部２０ａ、２０ｂから透明基板４に反射される光の量も一定とすることができ、画面の輝度は一定となる。図６は、導光体の位置が、図５に示されている位置からずれて配置された時の光散乱部２０ａと２０ｂの交差状態を示す一例である。光散乱部２０ａと２０ｂの交差部３０（黒色部分）の位置は、図５で示す交差位置と異なり、図６では上下部分に位置している。しかし、図５に示すそれぞれの光散乱部２０ａ又は２０ｂ上の交差部３０の面積と、図６に示すそれぞれの光散乱部２０ａ又は２０ｂ上に交差部３０の面積（上下２つの黒色部分を加えた面積）は、いずれも同一の大きさである。
【００２６】
図７は、上記条件において、ｎ＝１の時の光散乱部２０ａ、２０ｂの交差状態を示す。
この時、上記の式（１）は、Ｌ＝１．５Ｐとなる。これは、導光体７ａ、７ｂ上の光散乱部２０ａ、２０ｂのずれ量ＬをピッチＰの１．５倍とした時の状態を示している。この状態においても、それぞれの光散乱部２０ａ又は２０ｂ上の交差部３０の面積の大きさは、導光体７ａと７ｂの位置のずれにもかかわらず一定となる。そして、上記と同様の理由から、画面輝度を一定にすることができる。
【００２７】
図８は、上記条件を満たしていない時の光散乱部２０ａ、２０ｂの交差状態の一例を示し、図９は、図８の状態から導光体７ａ、７ｂの位置をずらした状態の一例を示す（この場合はＬ＝Ｐとしている）。
図に示すように、条件を満たしていない場合には、それぞれの光散乱部２０ａ又は２０ｂ上の交差部３０の面積の大きさは、導光体７ａと７ｂのずれ状態の違い（図８と図９の違い）により変化し、例えば、図９に示すそれぞれの光散乱部２０ａ又は２０ｂ上の交差部３０（それぞれ２つの交差部）の面積の大きさは、図８の交差部（それぞれ２つの交差部）の面積の大きさよりも大きくなっている。
【００２８】
ところで、図５、図７及び図８に示すように、光散乱部２０ａ、２０ｂの傾き、即ち、ずれ量Ｌが大きくなるにしたがい、それぞれの光散乱部２０ａ、２０ｂは長くなり、交差部３０の数が増加するとともに、一つ一つの交差部３０の面積が小さくなっている。このことから、導光体７ａ、７ｂ上に形成される光散乱部２０ａ、２０ｂが、何らかの要因で上記条件を満たすことができない場合には、ずれ量Ｌを大きくすることにより一つ一つの交差部３０の面積を小さくして、導光体７ａと７ｂのずれ状態の違いによって変化するそれぞれの光散乱部２０ａ又は２０ｂ上の交差部３０の面積の量を小さくすることが望ましい。即ち、交差部分３０の面積の変化量を小さくすることにより、導光体７ａと７ｂのずれによる画面輝度の変化を抑えることができる。
【００２９】
次に、導光体７ａ、７ｂに形成する光路変換手段１１ａ、１１ｂの形態について説明する。光路変換手段１１ａ、１１ｂとしては、導光体７ａ、７ｂの一面に、部分的に粗面化加工を施し微小な凹凸を形成した光散乱部２０ａ、２０ｂと、粗面化加工を施さない平面部２１とから形成されるもの、光散乱部２０ａ、２０ｂが白色の塗料を塗布して形成されたもの、断面形状ほぼ三角形の溝部を形成した光散乱部２０ａ、２０ｂと、該溝部に隣接する平坦部２１とで形成されるもの、さらに、平坦部を設けずに、断面形状ほぼ三角形となる２つの傾斜面からなる山部を連続的に形成するもの等を上げることができる。そして、それぞれの光散乱部２０ａ、２０ｂ等を所定の傾斜を持たせて形成することにより、導光体７ａと７ｂの配置のずれによる画面輝度の変化を抑えることができる。
尚、点状光源８ａ、８ｂからの距離に影響されることなく、導光体７ａ、７ｂ側から透明基板４の一側面５へ光を均一に放射することができるように、導光体７ａ、７ｂに形成する光路変換手段１１ａ、１１ｂ（光乱射部２０ａ、２０ｂ）の構成、例えば、点状光源８ａ、８ｂから離れるにしたがって間隔を狭くする、光散乱部２０ａ、２０ｂの幅を広くする等を適宜対応させることは言うまでもない。
【００３０】
図１０には、複数の導光体が配置される面状照明装置の別の一形態を示す。
図に示すように、面状照明装置１”は、透明基板４の両側面５、５’に沿って平行に並んで２個づつの光源部６ａ、６ｂと６ｃ、６ｄ配置されている。そして、それぞれの導光体７ａ、７ｂ、７ｃ、７ｄの一面には、傾斜を持たせて形成した光散乱部２０ａ、２０ｂ、２０ｃ、２０ｄを構成部分として有する光路変換手段１１ａ、１１ｂ、１１ｃ、１１ｄが設けられている。この場合にも、一側面５及び５’側から見た光散乱部の交差部３０の面積は、導光体７ａと７ｂ、７ｃと７ｄの配置のずれにかかわらず一定の大きさに保つことができる。これにより両側面５、５’で必要であった正確な導光体の位置管理が不要となるとともに、透明基板４方向に放射される光の量が一定となるため、画面輝度のばらつきを防止することができる。
【００３１】
【実施例】
実施例として、２つの導光体７ａ、７ｂ上に形成される光散乱部２０ａ  、２０ｂの傾斜角度θを変化させたときの、導光体７ａと７ｂとの各ずれ状態に対する光散乱部２０ａ、２０ｂの面積の関係を算出する。
導光体７ａ、７ｂは、厚さｔ＝１ｍｍのものを使用する。また、光路変換手段１１ａ、１１ｂのピッチＰは、Ｐ＝０．３ｍｍとし、光散乱部２０ａ、２０ｂの幅Ｗは、Ｗ＝０．０８７ｍｍとする。
光散乱部２０ａ、２０ｂの傾斜角度θを０°（傾き無し）と８．５°に形成した場合について算出する。θ＝８．５°の状態は、上記の式（１）においてＬ＝０．５Ｐの時に該当する。導光体７ａと７ｂのずれ状態とは、傾き無しの場合は、隣接する光散乱部２０ａの中間に、それぞれの光散乱部２０ｂが配置された状態を０％とし、その状態から導光体７ａ、７ｂがずれた距離を、光路変換手段１１ａ、１１ｂのピッチＰに対する比率［％］として表している。また、θ＝８．５°の場合は、光散乱部２０ａと２０ｂとが中央部で交差している状態を０％としている。光散乱部２０ａ、２０ｂの面積とは、光散乱部２つ分の面積から交差部３０を除いた面積を、光散乱部２つ分の面積に対する比率［％］として表している。
【００３２】
図１１及び図１２に上記算出結果を示す。図に示すように、光散乱部２０ａ、２０ｂの傾きをθ＝８．５°（Ｌ＝０．５Ｐ）とした場合には、光散乱部２０ａ、２０ｂの面積は、導光体７ａと７ｂのずれ状態にかかわらず一定となっている。これに対し、傾き無しの場合には、導光体７ａ、７ｂのずれ状態に対し、一定の範囲において光散乱部２０ａ、２０ｂの面積は変化し、最大変化時の比率は５０％にまで達している。
【００３３】
【発明の効果】
以上のように、請求項１に記載の面状照明装置は、導光体上に形成する光路変換手段に一定の傾斜を持たせ、隣接する導光体の光路変換手段が透明基板側から重ねて見たときに交差するように配置させている。この構成により交差部の面積は、隣接する導光体の位置が何らかの要因でずれた場合にも、交差位置が移動するだけでその大きさは変化しない。したがって、透明基板側から見える光路変換手段の面積は、導光体のずれによって変動せず、透明基板方向に放射される光の量も一定となる。これにより、画面輝度が常に一定となり、品質を安定させことができ、より低電力での使用が可能となる。
【００３４】
また、請求項２から６に記載の発明では、それぞれ形態が異なる光路変換手段において、画面輝度を一定に保つことができる。
【図面の簡単な説明】
【図１】本発明に係る面状照明装置の導光体に形成される光路変換手段の一形態示す斜視図である。
【図２】本発明において、導光体を重ねて見たときの、交差する光散乱部を示す図である。
【図３】図２の導光体の位置がずれたときの、交差する光散乱部を示す図である。
【図４】本発明の構成を有する光路変換手段において、隣接する導光体のそれぞれに形成されている光散乱部の傾斜角度、傾斜量を示す図である。
【図５】本発明の構成を有する光路変換手段において、交差する光散乱部の一形態を示す図である。
【図６】図５の導光体の位置がずれたときの、交差する光散乱部を示す図である。
【図７】本発明の構成を有する光路変換手段において、交差する光散乱部の一形態を示す図である。
【図８】本発明の構成を有する光路変換手段において、交差する光散乱部の一形態を示す図である。
【図９】図８の導光体の位置がずれたときの、交差する光散乱部を示す図である。
【図１０】本発明に係る面状照明装置の一形態示す斜視図である。
【図１１】本発明における導光体のずれと光散乱部の面積との関係を示す表である。
【図１２】本発明における導光体のずれと光散乱部の面積との関係を示すグラフである。
【図１３】本発明に係る面状照明装置の従来例の一形態を示す斜視図である。
【図１４】従来の導光体に形成される光路変換手段の一形態を示す図である。
【図１５】従来の導光体に形成される光路変換手段の一形態を示す図である。
【図１６】従来の導光体に形成される光路変換手段の一形態を示す図である。
【図１７】従来の導光体に形成される光路変換手段の一形態を示す図である。
【図１８】従来の導光体を重ねて見たときの、交差する光散乱部を示す図である。
【図１９】図１８の導光体の位置がずれたときの、交差する光散乱部を示す図である。
【符号の説明】
１              面状照明装置
２              反射型液晶素子
４              透明基板
５              一側面
６ａ、６ｂ      光源部
７ａ、７ｂ      導光体
８ａ、８ｂ      点状光源
１１ａ、１１ｂ  光路変換手段
２０ａ、２０ｂ  光散乱部
【図１】
0003735833.tif 000002
【図２】
0003735833.tif 000003
【図３】
0003735833.tif 000004
【図４】
0003735833.tif 000005
【図５】
0003735833.tif 000006
【図６】
0003735833.tif 000007
【図７】
0003735833.tif 000008
【図８】
0003735833.tif 000009
【図９】
0003735833.tif 000010
【図１０】
0003735833.tif 000011
【図１１】
0003735833.tif 000012
【図１２】
0003735833.tif 000013
【図１３】
0003735833.tif 000014
【図１４】
0003735833.tif 000015
【図１５】
0003735833.tif 000016
【図１６】
0003735833.tif 000017
【図１７】
0003735833.tif 000018
【図１８】
0003735833.tif 000019
【図１９】
0003735833.tif 000020